(57)【要約】【課題】  透過光出力側の空間の明るさや雰囲気等を微細に調整することができる透過光波長選択装置を提供する。【解決手段】  光透過物質よりなる複数の第１の部材１２，１０２が、間隔をあけて平行状に配置されることにより形成された第１の光通過面部１０，１００と、光透過物質よりなる複数の第２の部材２２，２０２が、間隔をあけて平行状に配置されることにより形成されるとともに、前記第１の光通過面部と近接して対向配置された第２の光通過面部２０，２００と、前記第１、第２の光通過面部における第１の部材と第２の部材との相対的な位置関係を変更するための操作部材５０と、を備える。【選択図】  図１
2005113564.tif 000002
【特許請求の範囲】
【請求項１】
光透過物質よりなる複数の第１の部材が、間隔をあけて平行状に配置されることにより形成された第１の光通過面部と、
光透過物質よりなる複数の第２の部材が、間隔をあけて平行状に配置されることにより形成されるとともに、前記第１の光通過面部と近接して対向配置された第２の光通過面部と、
前記第１、第２の光通過面部における第１の部材と第２の部材との相対的な位置関係を変更するための操作部材と、
を備えたことを特徴とする透過光波長選択装置。
【請求項２】
第１の部材または第２の部材の断面形状が、円形ないし半円形または多角形である請求項１に記載の透過光波長選択装置。
【請求項３】
第１の部材相互の間隔、または第２の部材相互の間隔が、１０μｍ〜１ｍｍに設定されている請求項１または２に記載の透過光波長選択装置。
【発明の詳細な説明】
【技術分野】
【０００１】
この発明は、例えば太陽や蛍光灯等の光源から照射される光の中から、透過光の波長を選択するのに用いられる透過光波長選択装置であって、例えばトップライトからの光の透過波長をコントロールしたり、ガラス窓に近接配置されて外光の室内への透過波長をコントロールして、室内の明るさや雰囲気等を調整したり、その他各種用途に用いられる透過光波長選択装置に関する。
【背景技術】
【０００２】
この種従来の透過光波長選択装置として、例えばガラス窓から室内に入射される太陽光の透過光量等を調節するためにガラス窓の内側に配置されるシャッターのように、重ね合わせ状に配置された複数個の短冊状のシャッター羽根の回転角度を調整することにより、隣り合うシャッター羽根間の間隔を調整して光量調整を行うものが存在する。
【発明の開示】
【発明が解決しようとする課題】
【０００３】
しかし、このような従来の透過光波長選択装置では、シャッター羽根間の間隔に応じた調整しかできず、透過波長の選択による室内等透過側の空間の明るさや雰囲気等を微細に調整することができなかった。
【０００４】
この発明は、このような欠点を解消するためになされたものであって、入射光の透過波長を選択的に変化させることにより、透過光出力側の空間の明るさや雰囲気等を微細に調整することができる透過光波長選択装置の提供を課題とする。
【課題を解決するための手段】
【０００５】
上記課題は、光透過物質よりなる複数の第１の部材が、間隔をあけて平行状に配置されることにより形成された第１の光通過面部と、光透過物質よりなる複数の第２の部材が、間隔をあけて平行状に配置されることにより形成されるとともに、前記第１の光通過面部と近接して対向配置された第２の光通過面部と、前記第１、第２の光通過面部における第１の部材と第２の部材との相対的な位置関係を変更するための操作部材と、を備えたことを特徴とする透過光波長選択装置によって解決される。
【０００６】
この透過光波長選択装置では、第１の光通過面部の外方から第１の光通過面部に入射した光は、第１の光通過面部における第１の部材によって屈折され、さらに第２の光通過面部の第２の部材によって屈折されて、第２の部材から外方へ出射される。つまり、外方からの光は第１，第２の部材によって複屈折される。操作部材によって、第１、第２の光通過面部における第１の部材と第２の部材との相対的な位置関係が変更されると、第１，第２の部材による屈折状態も変化するから、第１、第２の部材を透過する光の透過波長を選択的に変化し、室内等の透過側の空間の明るさや雰囲気等を微細に調整することができる。
【０００７】
上記透過光波長選択装置において、第１の部材または第２の部材の断面形状が、円形ないし半円形または多角形であるのが望ましい。このような断面形状とすることにより、両部材の異なる屈折率による多様な複屈折状態が得られる。
【０００８】
また、第１の部材相互の間隔、または第２の部材相互の間隔が、１０μｍ〜１ｍｍに設定されているのが良い。これにより、第１、第２の各部材の複屈折効果に加えて、前記間隔による光干渉効果も得られ、より細かい調整が可能となる。
【発明の効果】
【０００９】
請求項１に係る発明によれば、第１、第２の部材を透過する光の透過波長を選択的に変化させることができ、室内等の透過側の空間の明るさや雰囲気等を微細に調整することができる。
【００１０】
請求項２に係る発明によれば、第１の部材または第２の部材の断面形状を、円形ないし半円形または多角形とすることによって、両部材による多様な屈折状態が得られ、さらに微細な調整を行うことができる。
【００１１】
請求項３に係る発明によれば、第１の部材相互の間隔、または第２の部材相互の間隔が、１０μｍ〜１ｍｍに設定されているから、前記間隔による光干渉効果が得られ、室内等の透過側の空間の明るさや雰囲気等の調整をさらに微細に行うことができる。
【発明を実施するための最良の形態】
【００１２】
図１（Ａ）はこの発明の一実施形態に係る透過光波長選択装置の部分正面図、（Ｂ）は同じく側面図である。
【００１３】
前記透過光波長選択装置１は、前後に配置された第１の光通過面部１０及び第２の光通過面部２０と、上側支持枠３０と下側支持枠４０を備えている。
【００１４】
前記第１の光通過面部１０は、水平状配置にて上下に所定間隔の空気層１１を介して等間隔で配設された、断面円形の複数の第１の部材としての棒状の第１ロッド１２と、これら第１ロッド１２の長さ方向（水平方向）の両端部の位置あるいはさらに必要に応じて中間部の位置において、各第１ロッド１２を連結一体化する上下に延びる棒状ないしワイヤー状の第１連結体１３とで構成されている。
【００１５】
前記第１ロッド１２は、透明なガラス、樹脂等の光透過物質よりなり、例えば外径０．５〜３ｍｍに形成されている。
【００１６】
一方、前記第２の光通過面部２０は、水平状配置にて上下に前記第１ロッドの間隔と同じ間隔の空気層２１を介して等間隔で配設された、断面正三角形の複数の第２の部材としての棒状の第２ロッド２２と、これら第２ロッド２２の長さ方向（水平方向）の両端部の位置あるいはさらに必要に応じて中間部の位置において、各第２ロッド２２を連結一体化する上下に延びる棒状ないしワイヤー状の第２連結体２３とで構成されている。そして、前記第２ロッド２２は、断面における一つの頂点部を前記第１の光通過面部１０側に向けるとともに、前記頂点部に対向する辺部が上下となる向きに配置されている。
【００１７】
前記第２ロッド２２も第１ロッド１２と同じく、透明なガラス、樹脂等の光透過物質よりなり、例えば一辺の長さが０．５〜３ｍｍに形成されている。また、第１，第２各ロッド１２，２２の各間隔は任意であるが、この透過光波長選択装置１を光干渉装置としても用いるような場合には、光干渉が生じる１０μｍ〜１ｍｍに設定するのが望ましい。
【００１８】
また、前記各第１ロッド１２、各第２ロッド２２をそれぞれ連結する第１連結体１３、第２連結体２３の上端部は、下向きに開口したチャンネル状の前記上側支持枠３０に、前後（各光通過面部の対向方向）に収容されている第１上側端部部材３１、第２上側端部部材３２に固定される一方、第１連結体１３、第２連結体２３の下端部は、上向きに開口したチャンネル状の前記下側支持枠４０に前後（各光通過面部の対向方向）に収容されている第１下側端部部材４１、第２下側端部部材４２に固定されている。
【００１９】
また、図２に拡大して示すように、第２上側端部部材３２には上下方向のラック３３が上下移動可能に連結されると共に、このラック３３に噛合するピニオン３４が上側支持枠３０内に設けられている。
【００２０】
また、上側支持枠３０の長さ方向（水平方向）の中間部には、上側支持枠３０を前後に貫通する態様でウォームギアからなる操作部材５０が設けられるとともに、この操作部材５０の一端部は上側支持枠３０の外面に露出すると共に、該一端部表面にはドライバやコインなどを差し込んで操作部材を回転させるための操作用切り込み５１が形成されている。なお、操作部材５０の一端部を支持枠３０外に延出させて、該延出部を操作摘みとして把持できるようにし、この操作摘みを把持して操作部材５０を回転させる構成としても良い。
【００２１】
かつ、前記操作部材５０としてのウォームギアには前記ピニオン３４が噛合している。従って、ユーザが前記操作部材５０の一端部の操作用切り込み５１にドライバやコイン等を嵌め込んで操作部材５０を回転させると、操作部材５０に噛合しているピニオン３４が正方向または逆方向に回転し、これによりピニオン３４と噛合しているラック３３が上下し、このラック３３に第２上側端部部材３２を介して連結された第２の光通過面部２０の各第２ロッド２２が、第２の光通過面部２０が存在する平面内で上下にスライド移動するものとなされている。
【００２２】
なお、前記第１上側端部部材３１及び第１下側端部部材４１は、上側支持枠３０と下側支持枠４０にそれぞれ固定されている。
【００２３】
また、前記第２下側端部部材４２には、他端部を下側支持枠４０の底面に固定されたコイルバネ４３の一端が固定され、該コイル４３によって第２下側端部部材４２は下向きの付勢力を常時付与されている。
【００２４】
なお、必要であれば、上下支持枠３０，４０の両端部同士をさらに左右支持枠によって連結しても良い。
【００２５】
図１及び図２に示した透過光波長選択装置１では、例えば第１の光通過面部１０の外方から第１ロッド１２に入射した光は、第１ロッド１２により屈折して角度を変えて第２の光通過面部２０へと進行する。そして、第２の光通過面部２０の第２ロッド２２に入射してさらに屈折して角度を変えて、第２の光通過面部２０を通過する。即ち、第１の光通過面部１０の第１ロッド１２及び第２の光通過面部２０の第２ロッド２２により複屈折させられる。また、第１ロッド１２相互間あるいは第２ロッド２２の相互間の間隔の大きさによっては、光干渉をも生じる。
【００２６】
この状態で、ユーザが操作部材５０の操作用切り込み５１にドライバやコイン等を差し込んで操作部材５０を所定方向に回転させる。この操作部材５０の回転はピニオン３４に伝達されてピニオン３４が回転し、ピニオン３４と噛合するラック３３が上方または下方に移動する。すると、ラック３３に第２上側端部部材３２を介して連結されている第２の光通過面部２０の全体が上方あるいは下方にスライドする。すると、図２に示すように、第１の光通過面部１０の第１ロッド１２と第２の光通過面部２０の第２ロッド２２との上下方向の位置関係が変化する。つまり、両ロッド１２，２２の位相が変位する。
【００２７】
このような変位状態では、第１の光通過面部１０を通過した光の第２ロッド２２による屈折方向も変化することになる。換言すれば、第２の光通過面部２０の外側に出力される光の波長領域が微妙に変化する。しかも、両ロッド１２，２２の位相変位量に応じて変化の度合いも変わり、出力側空間の明るさや雰囲気等が微細に調整される。光干渉が生じている場合にはその効果とも相俟って、より細やかな調整を行うことができる。しかも、この実施形態では、第１ロッド１２と第２ロッド２２の断面形状が異なることから、明るさや雰囲気等のさらに微細で多様な調整を行うことができる。
【００２８】
図３及び図４はこの発明の他の実施形態を示すものである。
【００２９】
この実施形態では、第１、第２の光通過面部１００，２００及び連結部材１０３，２０３の構成が図１に示した実施形態とは異なるのみで、他の構成は同一であるので、同一構成部分については同一の符号を付してその説明を省略する。
【００３０】
図３及び図４に示す実施形態では、第１の光通過面部１００は、光透過物質よりなる肉薄の第１平板状パネル１０３における第２の光通過面部２００との対向面側に膨出して、断面半円形の複数個の第１の部材としての第１ロッド１０２が配設されてなる。これらの第１ロッド１０２は第１平板状パネル１０３と一体成形品であり、各ロッド１０２は水平状配置にて上下に等間隔１０１で配設されている。
【００３１】
一方、前記第２の光通過面部２００は、光透過物質よりなる肉薄の第２平板状パネル２０３における第１の光通過面部１００との対向面側に膨出して、断面正三角形状の複数個の第２の部材としての第２ロッド２０２が配設されてなる。これらの第２ロッド２０２は第２平板状パネル２０３と一体成形品であり、各ロッド２０２は水平状配置にて上下に前記第１ロッド１０２の間隔と等間隔２０１で配設されている。前記の各第２ロッド２０２は、断面における一つの頂点部を前記第１の光通過面部１００に向けるとともに、前記頂点部に対向する辺部が上下となる向きに形成されている。
【００３２】
前記第１ロッド１０２を含む第１平板状パネル１０３の材質及び第２ロッド２０２を含む第２平板状パネル２０３の材質は、図１に示した第１の実施形態と同じであり、また第１ロッド１０２、第２ロッド２０２の寸法や、第１ロッド１０２相互間あるいは第２ロッド２０２相互間の間隔１０１，２０１も、図１に示した第１の実施形態と同じである。
【００３３】
そして、前記第１の光通過面部１００における第１平板状パネル１０３の上下端部は、それぞれ第１上側端部部材３１及び第１下側端部部材４１に固定され、第２の光通過面部２００における第２平板状パネル２０３の上下端部は、それぞれ第２上側端部部材３２及び第２下側端部部材４２に固定されている。
【００３４】
図３に示した透過光波長選択装置１では、第１の光通過面部１００の外方から第１平板状パネル１０３に入射した光は、第１ロッド１０２により屈折して角度を変えて第２の光通過面部２００へと進行する。そして、第２の光通過面部２００の第２ロッド２０２に入射してさらに屈折して角度を変えて、第２の光通過面部２００を通過する。即ち、第１の光通過面部１００の第１ロッド１０２及び第２の光通過面部２００の第２ロッド２０２により複屈折させられる。また、第１ロッド１０２相互間あるいは第２ロッド２０２の相互間の間隔によっては、光干渉をも生じる。
【００３５】
この状態で、ユーザが操作部材５０の操作用切り込み５１にドライバやコイン等を差し込んで操作部材５０を所定方向に回転させる。この操作部材５０の回転はピニオン３４に伝達されてピニオン３４が回転し、ピニオン３４と噛合するラック３３が上方または下方に移動する。すると、ラック３３に第２上側端部部材３２を介して連結されている第２の光通過面部２００の全体が上方あるいは下方にスライドする。すると、図４に示すように、第１の光通過面部１００の第１ロッド１０２と第２の光通過面部２００の第２ロッド２０２との上下方向の位置関係が変化する。つまり、両ロッド１０２，２０２の位相が変位する。
【００３６】
このような変位状態では、第１の光通過面部１００を通過した光の第２ロッド２０２による屈折方向も変化することになる。換言すれば、第２の光通過面部２０の外側に出力される光の波長領域が微妙に変化する。しかも、両ロッド１０２，２０２の位相変位量に応じて変化の度合いも変わり、出力側空間の明るさや雰囲気等が微細に調整される。光干渉が生じている場合にはその効果とも相俟って、より細やかな調整を行うことができる。しかも、この実施形態では、第１ロッド０２と第２ロッド２０２の断面形状が異なることから、明るさや雰囲気等のさらに微細で多様な調整を行うことができる。
【００３７】
以上にこの発明の一実施形態を示したが、この発明はこれらの実施形態に限定されるものではない。例えば、第１，第２の光通過面部１０，２０，１００，２００が相対的にスライド移動可能に構成されている場合を示したが、第１実施形態のように空気層１１，２１を介して第１，第２の各ロッド１２，２２が配設されている場合には、各ロッド１２，２２特に断面円形でないロッド２２を自軸回りに回転させるようにして、第１，第２ロッド１２，２２の相対的位置関係を変化させるものとしても良い。
【００３８】
また、第１ロッド１２，１０２が断面円形や半円形で、第２ロッド２２，２０２が断面三角形の場合を示したが、断面形状はこれらに限定されることはなく、断面四角形その他の多角形や断面楕円形等であっても良い。また、第１ロッド１２，１０２と第２ロッド２２，２０２が断面形状の異なる場合を示したが、同一の断面形状のものであっても良い。
【００３９】
また、第１、第２の光通過面部１０，２０，１００，２００の構成も実施形態に限定されるものではなく、例えば光透過物質よりなる平板状パネルに、屈折率を変えるための部材を貼り付けたり塗布することにより構成しても良い。
【図面の簡単な説明】
【００４０】
【図１】（Ａ）はこの発明の一実施形態に係る透過光波長選択装置の正面図、（Ｂ）は側面図である。
【図２】図１の透過光波長選択装置の上部の拡大側面図である。
【図３】（Ａ）はこの発明の他の実施形態に係る透過光波長選択装置の正面図、（Ｂ）は側面図である。
【図４】図３の透過光波長選択装置の上部の拡大側面図である。
【符号の説明】
【００４１】
１                          透過光波長選択装置
１０，１００                第１の光通過面部
２０，２００                第１の光通過面部
１１，２１，１０１，２０１  隙間
１２，１０２                第１のロッド（第１の部材）
２２，２０２                第２のロッド（第２の部材）
５０                        操作部材
【図１】
2005113564.tif 000003
【図２】
2005113564.tif 000004
【図３】
2005113564.tif 000005
【図４】
2005113564.tif 000006